(57)【要約】【課題】追い焚き循環路内の洗浄時間や洗浄に費やす湯水を無駄にすることを防止する給湯器付風呂装置を提供する。【解決手段】給湯回路と、浴槽４に接続される追い焚き循環路１１とを有し、追い焚き循環路は接続路２７を介し給湯回路と接続可能で、接続路を介し給湯回路の熱交換部７により発生するドレンを追い焚き循環路に導くドレン導出路４２を有し、追い焚き循環路の外部へのドレンの排出の際の第１の状態と、追い焚き循環路内の洗浄の際の第２の状態と、湯水を浴槽へ供給可能に待機する第３の状態とに切り替える切替手段を備え、給湯器付風呂装置の電源の投入後に、第１ないし第３の状態のいずれかの状態に切り替えられたことを検出する状態検出手段と、第１の状態の検出時にドレンの排出を、第２の状態の検出時に追い焚き循環路内の洗浄を、第３の状態の検出時に運転待機を、それぞれ実行する制御を行う動作制御手段と、を設けた。【選択図】図１
2015081738.tif 000002
【特許請求の範囲】
【請求項１】
バーナの燃焼により発生する燃焼ガスから顕熱及び潜熱を回収する熱交換部が設けられた給湯回路を有すると共に、浴槽に接続される追い焚き循環路を有しており、該追い焚き循環路は、接続路を介して前記給湯回路と接続可能とされて、前記熱交換部によって発生するドレンを前記追い焚き循環路に導くドレン導出路を有し、前記追い焚き循環路には、該追い焚き循環路に導かれた前記ドレンを排出するための排出路が接続可能とされおり、前記ドレンを、前記ドレン導出路と前記追い焚き循環路と前記排出路とを通して該追い焚き循環路の外部に排出するドレン排出制御手段と、前記給湯回路から前記接続路を介して前記追い焚き循環路に通される湯水によって該追い焚き循環路内を洗浄する洗浄制御手段と、を備え、前記ドレン導出路と前記追い焚き循環路と前記排出路とが連通して、前記ドレン排出制御手段によって、前記ドレンを前記追い焚き循環路の外部に排出可能な第１の状態と、前記ドレン導出路と前記追い焚き循環路とが非連通であって前記追い焚き循環路と前記排出路とが連通して、前記洗浄制御手段によって、前記追い焚き循環路内を洗浄可能な第２の状態と、前記ドレン導出路と前記追い焚き循環路とが非連通であって該追い焚き循環路と前記排出路とを非連通として、前記給湯回路から前記追い焚き循環路に通される前記湯水を前記浴槽へ供給可能に待機、あるいは前記追い焚き循環路内の前記湯水を循環可能に待機する第３の状態と、に切り替える切替手段を備えた給湯器付風呂装置であって、
前記給湯器付風呂装置の電源を投入した後又は前記ドレン排出制御手段による前記ドレンの排出の中断の後あるいは前記洗浄制御手段による前記追い焚き循環路内の洗浄の中断の後に、前記切替手段によって、前記第１ないし前記第３の状態のうちのいずれの状態に切り替えられているかを検出する状態検出手段と、
前記状態検出手段によって前記第１の状態が検出されたときに前記ドレンの排出を、前記状態検出手段によって前記第２の状態が検出されたときに前記追い焚き循環路内の洗浄を、前記状態検出手段によって前記第３の状態が検出されたときに、前記ドレンの排出や前記追い焚き循環路内の洗浄を行わない運転待機を、それぞれ実行する制御を行う動作制御手段と、
を設けたことを特徴とする給湯器付風呂装置。
【請求項２】
前記切替手段は、前記第１ないし前記第３の状態のそれぞれに応じた状態検出信号を出力可能な出力部を備え、
前記状態検出手段は、前記出力部から出力された前記状態検出信号に基づいて、前記第１ないし前記第３の状態のうちのいずれの状態に切り替えられているかを検出することを特徴とする請求項１に記載の給湯器付風呂装置。
【発明の詳細な説明】
【技術分野】
【０００１】
この発明は、ドレンを、浴槽に接続される追い焚き循環路を介して該追い焚き循環路の外部に排出するドレン排出制御手段と、前記追い焚き循環路に通される湯水によって該追い焚き循環路内を洗浄する洗浄制御手段と、を備えた給湯器付風呂装置に関する。
【背景技術】
【０００２】
例えば特許文献１には、浴槽に接続される追い焚き循環路内のドレンを、浴室に排出する給湯器付風呂装置が開示されている。特許文献１の給湯器付風呂装置では、該給湯器付風呂装置の電源を投入した後や、ドレンを追い焚き循環路を通して浴室に排出するドレン排出機能の故障による停止時に出力されたエラー信号が解除された後、あるいはドレン排出機能によってドレンを排出した後に、追い焚き循環路に通される湯水によって該追い焚き循環路内を洗浄する洗浄機能の故障による停止時に出力されたエラー信号が解除された後に、必ず前記洗浄機能の動作を行うようにしている。これにより、ドレン排出機能の動作や洗浄機能の動作の途中で故障が生じた場合でも、追い焚き循環路内が洗浄されないままの状態になることがないため、追い焚き循環路内にドレンが残留したままで浴槽の湯張りが行われることがない。よって、ドレンが浴槽湯水に混入することを防止できる。
【先行技術文献】
【特許文献】
【０００３】
【特許文献１】特開２０１２−７７９８９号公報
【発明の概要】
【発明が解決しようとする課題】
【０００４】
しかしながら、上記の給湯器付風呂装置では、該給湯器付風呂装置の電源を投入した後や、ドレン排出機能あるいは洗浄機能の故障による停止時に出力されたエラー信号が解除された後には、必ず前記洗浄機能の動作を行わせて、追い焚き循環路内の洗浄を行うようにしていた。このような場合には、例えば、前記電源を投入する前にユーザが、ドレンの排出動作が行われていなかったために、追い焚き循環路内の洗浄を行う必要がないことを知っている場合でも、追い焚き循環路内の洗浄が行われることになる。このため、この洗浄に時間を要することが原因で、浴槽の湯張りが終わるまでに時間がかかったり、洗浄に費やす湯水が無駄になるという不都合があった。
【０００５】
この発明は、このような状況に鑑み提案されたものであって、追い焚き循環路内の洗浄に要する時間や該洗浄に費やす湯水を無駄にすることを防止する給湯器付風呂装置を提供することを目的とする。
【課題を解決するための手段】
【０００６】
上記目的を達成するために、請求項１に記載の発明は、バーナの燃焼により発生する燃焼ガスから顕熱及び潜熱を回収する熱交換部が設けられた給湯回路を有すると共に、浴槽に接続される追い焚き循環路を有しており、追い焚き循環路は、接続路を介して給湯回路と接続可能とされて、熱交換部によって発生するドレンを追い焚き循環路に導くドレン導出路を有し、追い焚き循環路には、追い焚き循環路に導かれたドレンを排出するための排出路が接続可能とされており、ドレンを、ドレン導出路と追い焚き循環路と排出路とを通して追い焚き循環路の外部に排出するドレン排出制御手段と、給湯回路から接続路を介して追い焚き循環路に通される湯水によって追い焚き循環路内を洗浄する洗浄制御手段と、を備え、ドレン導出路と追い焚き循環路と排出路とが連通して、ドレン排出制御手段によって、ドレンを追い焚き循環路の外部に排出可能な第１の状態と、ドレン導出路と追い焚き循環路とが非連通であって追い焚き循環路と排出路とが連通して、洗浄制御手段によって、追い焚き循環路内を洗浄可能な第２の状態と、ドレン導出路と追い焚き循環路とが非連通であって追い焚き循環路と排出路とを非連通として、給湯回路から追い焚き循環路に通される湯水を浴槽へ供給可能に待機、あるいは追い焚き循環路内の湯水を循環可能に待機する第３の状態と、に切り替える切替手段を備えた給湯器付風呂装置であって、給湯器付風呂装置の電源を投入した後又はドレン排出制御手段によるドレンの排出の中断の後あるいは洗浄制御手段による追い焚き循環路内の洗浄の中断の後に、切替手段によって、第１ないし第３の状態のうちのいずれの状態に切り替えられているかを検出する状態検出手段と、状態検出手段によって第１の状態が検出されたときにドレンの排出を、状態検出手段によって第２の状態が検出されたときに追い焚き循環路内の洗浄を、状態検出手段によって第３の状態が検出されたときに、ドレンの排出や追い焚き循環路内の洗浄を行わない運転待機を、それぞれ実行する制御を行う動作制御手段と、を設けたことを特徴とするものである。
請求項２に記載の発明は、請求項１に記載の構成において、切替手段は、第１ないし第３の状態のそれぞれに応じた状態検出信号を出力可能な出力部を備え、状態検出手段は、出力部から出力された状態検出信号に基づいて、第１ないし第３の状態のうちのいずれの状態に切り替えられているかを検出することを特徴とするものである。
【発明の効果】
【０００７】
請求項１の発明に係る給湯器付風呂装置によれば、給湯器付風呂装置の電源の投入後や、ドレンの排出の中断後あるいは追い焚き循環路内の洗浄の中断後に、状態検出手段が、切替手段によって第３の状態に切り替えられていることを検出した場合には、動作制御手段は、ドレンの排出や追い焚き循環路内の洗浄を行わない運転待機を実行するように制御する。よって、給湯器付風呂装置の電源の投入後や、ドレンの排出の中断後あるいは追い焚き循環路の洗浄の中断後に必ず追い焚き循環路内の洗浄が行われる場合と比較して、該洗浄に要する時間や該洗浄に費やす湯水を無駄にすることを防止できる。
請求項２の発明によれば、例えば給湯器風呂装置の電源の投入後に、状態検出手段が、切替手段の出力部から出力される状態検出信号に基づいて、第１又は第２の状態に切り替えられていることを検出する結果、前記電源の投入前に、ドレン排出制御手段によるドレンの排出の中断又は洗浄制御手段による追い焚き循環路内の洗浄の中断があったことを容易に検出できる。加えて前記電源の投入後に、状態検出手段が、前記出力部から出力される状態検出信号に基づいて、第３の状態に切り替えられていることを検出する結果、前記電源の投入前に、前記ドレンの排出の中断や前記追い焚き循環路内の洗浄の中断が発生していなかったことを容易に検出できる。
【図面の簡単な説明】
【０００８】
【図１】本発明の実施形態の給湯器付風呂装置の概略システム図である。
【図２】給湯器付風呂装置において第１ないし第３三方切替弁の各弁体の回転角度を検出及び切り替えるための概略制御ブロック図である。
【図３】通常運転、排出運転及び洗浄運転に対する第１ないし第３三方切替弁の弁体の回転角度を示す表である。
【図４】給湯器付風呂装置が備える風呂給湯器のコントローラが実行する運転処理に関する第１フローチャートである。
【図５】その第２フローチャートである。
【図６】その第３フローチャートである。
【発明を実施するための形態】
【０００９】
本発明の実施形態を図１ないし図６を参照しつつ説明する。図１には本発明の実施形態の給湯器付風呂装置１の概略システム図を示した。この給湯器付風呂装置１は、風呂給湯器２と、浴室３に設置された浴槽４とを備えている。風呂給湯器２内には、図示しない第１バーナが配設されている。風呂給湯器２内で前記第１バーナの燃焼ガスの上流側に顕熱回収用熱交換器（図示せず。）が配設され、前記燃焼ガスの下流側に潜熱回収用熱交換器７（図１参照。）が配設されている。この顕熱回収用熱交換器は前記燃焼ガスの顕熱を回収する。一方、潜熱回収用熱交換器７は前記燃焼ガスの顕熱及び潜熱を回収する。そして風呂給湯器２内には、顕熱回収用熱交換器と潜熱回収用熱交換器７とを備えた給湯回路が形成されている。この給湯回路では、図示しない給水管が潜熱回収用熱交換器７の入口側に接続され、該潜熱回収用熱交換器７の出口側が、前記顕熱回収用熱交換器の入口側に接続されている。これに加えて、該顕熱回収用熱交換器の出口側に出湯管（図示せず。）が接続されている。なお、顕熱回収用熱交換器及び潜熱回収用熱交換器７は本発明の熱交換部の一例である。
【００１０】
一方、風呂給湯器２内には、図示しない第２バーナが配設されている。風呂給湯器２内で第２バーナの上側には、図１に示す追い焚き熱交換器１０が配設されている。この追い焚き熱交換器１０は、浴槽４に接続される追い焚き循環路１１に設けられている。追い焚き循環路１１は、往き管１２と戻り管１３とによって形成されている。この往き管１２は、風呂循環ポンプ１４の吐出口側に接続されている。さらに往き管１２には、該往き管１２内を湯水が流通するときにオン状態になる水流スイッチ１５が設けられている。加えて往き管１２には、該往き管１２内を流通する湯水の温度を検出するサーミスタ１６が設けられている。また、往き管１２の途中には第３三方切替弁１７が接続されている。この第３三方切替弁１７には、浴室３と連通する排出路１８が接続されている。この第３三方切替弁１７によって、往き管１２と戻り管１３とが連通する状態と、往き管１２と排出路１８とが連通して往き管１２と戻り管１３とが連通しない状態と、に切り替え可能に構成されている。本実施形態では図３に示すように、後述するドレンタンク３７（図１参照。）内のドレンを、浴室３に設けられて浴槽４の下側に配置される防水パン（図示せず。）によって受けた後に浴室３の外部に排出することと、このドレンの排出後に追い焚き循環路１１内を洗浄することとの双方を行う排出運転の場合には、第３三方切替弁１７の弁体の回転角度が１８０°に設定される。この回転角度が１８０°に設定されると、第３三方切替弁１７を介して往き管１２と排出路１８とが連通して往き管１２と戻り管１３とが連通しない状態になる。加えて、出湯管からの湯水によって追い焚き循環路１１内を洗浄する洗浄運転の場合にも、第３三方切替弁１７の弁体の回転角度が１８０°に設定される。また、前記ドレンの排出や前記追い焚き循環路１１内の洗浄を行わない運転待機の場合には、第３三方切替弁１７の弁体の回転角度が０°に設定される。この回転角度が０°に設定されると、第３三方切替弁１７を介して往き管１２と戻り管１３とが連通して往き管１２と排出路１８とが連通しない状態になる。
【００１１】
図１に示すように戻り管１３は、風呂循環ポンプ１４の吸込口側に接続されている。加えて戻り管１３には、該戻り管１３内を流通する湯水の温度を検出するサーミスタ２５が設けられている。また、戻り管１３の途中には第２三方切替弁２６が接続されている。この第２三方切替弁２６には、本発明の接続路としての注湯路２７の一端側が接続されている。この第２三方切替弁２６によって、注湯路２７の一端側が、追い焚き循環路１１の浴槽４側及び風呂循環ポンプ１４の吸込口側と連通する状態と、前記一端側が前記風呂循環ポンプ１４の吸込口側と連通して前記浴槽４側とは連通しない状態と、に切り替え可能に構成されている。本実施形態では図３に示すように、排出運転の場合には、第２三方切替弁２６の弁体の回転角度が９０°に設定される。この回転角度が９０°に設定されると、第２三方切替弁２６を介して注湯路２７の一端側が、風呂循環ポンプ１４の吸込口側と連通して前記浴槽４側とは連通しない状態になる。また、洗浄運転の場合には、図３に示すように、第２三方切替弁２６の弁体の回転角度が９０°に設定される。さらに、運転待機の場合には、第２三方切替弁２６の弁体の回転角度が０°に設定される。この回転角度が０°に設定されると、第２三方切替弁２６を介して注湯路２７の一端側が、追い焚き循環路１１の浴槽４側及び風呂循環ポンプ１４の吸込口側と連通する状態になる。
また注湯路２７の他端側は、前記出湯管に接続可能とされている。この注湯路２７の他端側には、出湯管を開閉可能な電磁弁２８が設けられている。さらに注湯路２７には、追い焚き循環路１１から注湯路２７への逆流や後述するドレン導出路４２から注湯路２７への逆流を防止する逆止弁２９と、注湯路２７から出湯管への逆流を防止する逆止弁３０とが設けられている。これに加えて注湯路２７には、該注湯路２７内の湯水の流量を検出する流量センサ３１が設けられている。この注湯路２７の途中には、第１三方切替弁３２が接続されている。
【００１２】
図１に示すように潜熱回収用熱交換器７の下側には、中和器３５が設けられている。この中和器３５では、潜熱回収用熱交換器７で発生した酸性のドレンが中和される。そして、中和器３５の出口にはドレン排出管３６が接続されており、このドレン排出管３６の出口側はドレンタンク３７と接続されている。このドレンタンク３７には、中和器３５によって中和されたドレンが一時的に貯留される。さらにドレンタンク３７には、該ドレンタンク３７内のドレン水位を検出する水位センサ３８〜４０と、オーバーフローレベルを超えたドレンをドレンタンク３７の外部に排出するオーバーフロー用排出口４１とが設けられている。加えてドレンタンク３７の下部には、該ドレンタンク３７に貯留されたドレンを追い焚き循環路１１側へ導くためのドレン導出路４２の一端側が接続されている。このドレン導出路４２の他端側は前記第１三方切替弁３２（図１参照。）と接続されている。またドレン導出路４２には、注湯路２７からドレンタンク３７への逆流を防止する逆止弁４３が設けられている。この第１三方切替弁３２によって、注湯路２７と出湯管とが連通して注湯路２７とドレン導出路４２とが連通しない状態と、注湯路２７とドレン導出路４２とが連通して注湯路２７と出湯管とが連通しない状態と、に切り替え可能に構成されている。本実施形態では図３に示すように、排出運転の場合には、第１三方切替弁３２の弁体の回転角度が１８０°に設定される。この回転角度が１８０°に設定されると、第１三方切替弁３２を介して注湯路２７とドレン導出路４２とが連通して注湯路２７と出湯管とが連通しない状態になる。また、洗浄運転の場合には、図３に示すように、第１三方切替弁３２の弁体の回転角度が０°に設定される。この回転角度が０°に設定されると、注湯路２７と出湯管とが連通して、注湯路２７とドレン導出路４２とが連通しない状態になる。さらに、運転待機の場合には、第１三方切替弁３２の弁体の回転角度が０°に設定される。
【００１３】
また図１に示すように第３三方切替弁１７には、後述するように第３三方切替弁１７が備える弁体の回転角度を検出する第３角度制御回路６３（図２参照。）を備えた電気回路基板４５が接続されている。この電気回路基板４５には、風呂リモコン４６と、風呂給湯器２に備えられたコントローラ４７とが接続されている。本実施形態では、後述するように、コントローラ４７（第１演算処理部５３）は、第３角度制御回路６３から第３三方切替弁１７の回転角度検出信号を受信することで、第３三方切替弁１７の弁体の回転角度を検出する。
【００１４】
図２には、本実施形態の給湯器付風呂装置１が、図１に示した第１ないし第３三方切替弁３２，２６，１７の各弁体の回転角度を検出及び切り替えるための概略制御ブロック図を示した。図２に示すように給湯器付風呂装置１は、風呂給湯器２のコントローラ４７（図１参照。）に備えられたメイン基板５１と、上述した電気回路基板４５とを備えている。
【００１５】
メイン基板５１には、電源検知回路５２と、第１演算処理部５３と、第１通信回路５４と、記憶部５５と、第２角度制御回路５６と、第１角度制御回路５７とを備えている。電源検知回路５２は第１演算処理部５３に接続されている。電源検知回路５２は、風呂給湯器２の電源コードが商用交流電源のコンセントに挿入されて風呂給湯器２が通電状態であることを検出するために用いられる。第１演算処理部５３には、第１通信回路５４と、記憶部５５とが接続されている。第１通信回路５４は、電気回路基板４５に各種の信号を送信したり、該電気回路基板４５から送信された各種の信号を受信するために用いられる。記憶部５５には、後述する第１ないし第３三方切替弁３２，２６，１７の各弁体の回転角度を検出あるいは切り替える処理を実行するプログラムが記憶されている。さらに、第１演算処理部５３には第２角度制御回路５６が接続され、この第２角度制御回路５６には第２三方切替弁２６が接続されている。そして第２三方切替弁２６は、該第２三方切替弁２６の弁体の回転角度に応じた回転角度検出信号を出力する出力部５８を備えている。本実施形態では、第２三方切替弁２６に、前記弁体の回転角度に応じて異なる信号を生成するホールＩＣを配置して、出力部５８が、ホールＩＣによって生成された信号の変化に応じた前記回転角度検出信号を出力するようにした。第２角度制御回路５６は、出力部５８から前記回転角度検出信号を受信したり、第１演算処理部５３からの指令信号に基づいて、第２三方切替弁２６の弁体を回転させて該弁体の回転角度を所定の角度に制御する。
【００１６】
加えて、第１演算処理部５３には第１角度制御回路５７が接続され、この第１角度制御回路５７には第１三方切替弁３２が接続されている。そして第１三方切替弁３２は、該第１三方切替弁３２の弁体の回転角度に応じた回転角度検出信号を出力する出力部５９を備えている。この出力部５９も、出力部５８と同様の方法で前記回転角度検出信号を出力するようにした。第１角度制御回路５７は、出力部５９から前記回転角度検出信号を受信したり、第１演算処理部５３からの指令信号に基づいて、第１三方切替弁３２の弁体を回転させて該弁体の回転角度を所定の角度に制御する。
【００１７】
図２に示すように電気回路基板４５は、第２通信回路６１と、第２演算処理部６２と、第３角度制御回路６３とを備えている。第２通信回路６１は、メイン基板５１の第１通信回路５４及び第２演算処理部６２に接続されている。第２通信回路６１は、前記第１通信回路５４に各種の信号を送信したり、該第１通信回路５４から送信された各種の信号を受信するために用いられる。第２演算処理部６２には第３角度制御回路６３が接続され、この第３角度制御回路６３には第３三方切替弁１７が接続されている。そして第３三方切替弁１７は、該第３三方切替弁１７の弁体の回転角度に応じた回転角度検出信号を出力する出力部６４を備えている。この出力部６４も、出力部５８及び出力部５９と同様の方法で前記回転角度検出信号を出力するようにした。第３角度制御回路６３は、第３三方切替弁１７の出力部６４から前記回転角度検出信号を受信したり、第２演算処理部６２からの指令信号に基づいて、第３三方切替弁１７の弁体を回転させて該弁体の回転角度を所定の角度に制御する。なお、各出力部５８，５９，６４によって出力される回転角度検出信号は、本発明の状態検出信号の一例である。
【００１８】
次に、図４ないし図６を用い、メイン基板５１の第１演算処理部５３が、第１ないし第３三方切替弁３２，２６，１７の各弁体の回転角度を検出した上で、給湯器付風呂装置１の運転を制御する処理の例を説明する。第１演算処理部５３は、所定の時間毎に記憶部５５（図２参照。）に記憶されたプログラムに基づいて、図４ないし図６に示すスタートからエンドまでの処理を繰り返し実行する。図４示すように第１演算処理部５３は、風呂給湯器２の電源が投入されているか否かを判断する（Ｓ１）。ここでは、風呂給湯器２の電源コードが商用交流電源のコンセントに挿入されて風呂給湯器２が通電状態になることで、第１演算処理部５３が、図２に示す電源検知回路５２から電圧検知信号を受信したか否かを判断する（Ｓ１）。Ｓ１において、第１演算処理部５３が前記電圧検知信号を受信して前記電源が投入されていると判断した場合には、第１三方切替弁３２の弁体の回転角度が０°であるか否かを判断する（Ｓ２）。ここでは、第１演算処理部５３が、第１三方切替弁３２の出力部５９から第１角度制御回路５７を通じて、前記０°に応じた回転角度検出信号を受信したか否かを判断する。第１三方切替弁３２の弁体の回転角度が０°の場合には、第１三方切替弁３２を介して出湯管と注湯路２７とが接続されている。
【００１９】
Ｓ２において、第１演算処理部５３が前記０°に応じた回転角度検出信号を受信して、第１三方切替弁３２の弁体の回転角度が０°であると判断した場合には、第２三方切替弁２６の弁体の回転角度が０°であるか否かを判断する（Ｓ３）。ここでは、第１演算処理部５３が、第２三方切替弁２６の出力部５８から第２角度制御回路５６を通じて、前記０°に応じた回転角度検出信号を受信したか否かを判断する。第２三方切替弁２６の弁体の回転角度が０°の場合には、第２三方切替弁２６を介して図１に示す注湯路２７と追い焚き循環路１１とが接続されている。
【００２０】
Ｓ３において、第１演算処理部５３が前記０°に応じた回転検出信号を受信して、第２三方切替弁２６の弁体の回転角度が０°であると判断した場合には、第３三方切替弁１７の弁体の回転角度が０°であるか否かを判断する（Ｓ４）。ここでは、第１演算処理部５３が、第３三方切替弁１７の出力部６４から第３角度制御回路６３、第２演算処理部６２、第１及び第２通信回路５４，６１を通じて、前記０°に応じた回転角度検出信号を受信したか否かを判断する。第３三方切替弁１７の弁体の回転角度が０°の場合には、図１に示す排出路１８と追い焚き循環路１１（往き管１２）とが接続されていない。そしてＳ４において、第１演算処理部５３が前記０°に応じた回転角度検出信号を受信して、第３三方切替弁１７の弁体の回転角度が０°であると判断した場合には、運転待機処理（Ｓ５）を実行する。
【００２１】
この運転待機処理（Ｓ５）では、以下に説明する処理を実行する。上述したＳ１〜Ｓ４の判断に基づいて、第１演算処理部５３が、風呂給湯器２の電源の投入後に、第１三方切替弁３２を介して出湯管と注湯路２７とが接続され、第２三方切替弁２６を介して注湯路２７と追い焚き循環路１１とが接続されている結果、第１演算処理部５３は、第１ないし第３三方切替弁３２，２６，１７によって、給湯器付風呂装置１が出湯管と注湯路２７と追い焚き循環路１１とを接続した第３の状態に切り替えられていることを検出する。この運転待機処理（Ｓ５）では、直ちにドレンタンク３７内のドレンを浴室３の外部に排出すること、このドレンの排出後に追い焚き循環路１１内を洗浄することの双方を行わず、第３の状態を保持しながら指令信号の受信を待つ待機運転を継続する。このように、風呂給湯器２の電源の投入後に第１演算処理部５３によって第３の状態に切り替えられていることを検出すると、運転待機処理（Ｓ５）では、直ちに追い焚き循環路１１内の洗浄が行われることがない。よって、従来のように前記電源の投入後に必ず追い焚き循環路１１内の洗浄が行われる場合と比較して、該洗浄に要する時間や該洗浄に費やす湯水を無駄にすることを防止できる。本実施形態の運転待機処理（Ｓ５）では、注湯路２７とドレン導出路４２とが連通せず、追い焚き循環路１１（往き管１２）と排出路１８とが連通しない状態とされて、第１演算処理部５３が、風呂リモコン４６からの給湯開始指令信号を受信した場合に、給湯管からの湯水を注湯路２７及び追い焚き循環路１１を通じて浴槽４へ供給可能に待機する。また、運転待機処理（Ｓ５）では、第１演算処理部５３によって風呂循環ポンプ１４に駆動信号を送信することで、追い焚き循環路１１内の湯水を循環可能に待機する。なお、第１ないし第３三方切替弁３２，２６，１７は本発明の切替手段の一例であり、第１演算処理部５３は本発明の状態検出手段及び動作制御手段の一例である。また、運転待機処理（Ｓ５）は本発明の運転待機の一例である。
【００２２】
一方Ｓ４において、第１演算処理部５３が第３三方切替弁１７の弁体の回転角度が０°に応じた回転角度検出信号を受信せず、前記回転角度が０°でないと判断した場合には、例えば第３三方切替弁１７の弁体の回転角度を切り替える最中に停電が発生し、該回転角度が特定できないと判別する。このように判別した場合には、排出運転移行処理（Ｓ６）を実行する。この排出運転移行処理（Ｓ６）では、以下に説明する処理を実行する。第１演算処理部５３は、弁体の駆動指令信号を第２及び第１角度制御回路５６，５７に送信する。これに加えて第１演算処理部５３は、弁体の駆動指令信号を、第１及び第２通信回路５４，６１、第２演算処理部６２を通じて第３角度制御回路６３に送信する。続いて第２角度制御回路５６は、第２三方切替弁２６に弁体を回転させるモータの駆動信号を送信して、該弁体を回転させて回転角度を９０°に切り替える。加えて第１角度制御回路５７は、第１三方切替弁３２に弁体を回転させるモータの駆動信号を送信して、該弁体を回転させて回転角度を１８０°に切り替える。さらに第３角度制御回路６３は第３三方切替弁１７に弁体を回転させるモータの駆動信号を送信して、該弁体を回転させて回転角度を１８０°に切り替える。このようにすることで、第１三方切替弁３２を介してドレン導出路４２と注湯路２７とを接続し、第２三方切替弁２６を介して注湯路２７と追い焚き循環路１１とを接続し、第３三方切替弁１７を介して追い焚き循環路１１（往き管１２）と排出路１８とを接続する。
【００２３】
排出運転移行処理（Ｓ６）の後には、排出運転処理（Ｓ７）を実行する。この排出運転処理（Ｓ７）では、以下に説明する処理を実行する。第１演算処理部５３が、図１に示す風呂循環ポンプ１４に駆動信号を送信することで、該風呂循環ポンプ１４を駆動させる。すると、ドレンタンク３７内のドレンが、ドレン導出路４２と注湯路２７と追い焚き循環路１１とを順番に流通した後に、排出路１８及び浴室３内の防水パンに設けられた排出部を通じて浴室３の外部に排出される。加えて、ドレンが浴室３の外部に排出された後に、第１演算処理部５３が、第１三方切替弁３２に弁体を回転させるモータの駆動信号を送信して、該弁体を回転させて回転角度を０°に切り替える。これにより、第１三方切替弁３２を介して出湯管と注湯路２７とを接続する。そして、第１演算処理部５３によって電磁弁２８（図１参照。）に駆動信号を送信して該電磁弁２８を開弁した後に、第１演算処理部５３によって風呂循環ポンプ１４に駆動信号を送信して該風呂循環ポンプ１４を駆動させる。これにより、出湯管からの湯水を、注湯路２７を介して追い焚き循環路１１内に流通させる。したがって、この湯水により追い焚き循環路１１内を洗浄できる。
【００２４】
排出運転処理（Ｓ７）の後には、運転待機移行処理（Ｓ８）を実行する。この運転待機移行処理（Ｓ８）では、以下に説明する処理を実行する。第１演算処理部５３は、弁体の駆動指令信号を第３及び第２角度制御回路６３，５６に送信する。その後、第３角度制御回路６３は、第３三方切替弁１７に弁体を回転させるモータの駆動信号を送信して、該弁体を回転させて回転角度を０°に切り替える。加えて、第２角度制御回路５６は、第２三方切替弁２６に弁体を回転させるモータの駆動信号を送信して、該弁体を回転させて回転角度を０°に切り替える。このようにすることで、給湯器付風呂装置１を出湯管と注湯路２７と追い焚き循環路１１とを接続した第３の状態に復帰させる。この運転待機移行処理（Ｓ８）の後には、上述した運転待機処理（Ｓ５）を実行する。
【００２５】
また図４中のＳ２において、第１三方切替弁３２の弁体の回転角度が０°でないと判断した場合には、図５に示すように、第１三方切替弁３２の弁体の回転角度が１８０°であるか否かを判断する（Ｓ１１）。ここでは、第１演算処理部５３が、第１三方切替弁３２の出力部５９から第１角度制御回路５７を通じて、前記１８０°に応じた回転角度検出信号を受信したか否かを判断する。第１三方切替弁３２の弁体の回転角度が１８０°の場合には、第１三方切替弁３２を介してドレン導出路４２と注湯路２７とが接続されている。
【００２６】
Ｓ１１において、第１演算処理部５３が前記１８０°に応じた回転角度検出信号を受信して、第１三方切替弁３２の弁体の回転角度が１８０°であると判断した場合には、第２三方切替弁２６の弁体の回転角度が９０°であるか否かを判断する（Ｓ１２）。ここでは、第１演算処理部５３が、第２三方切替弁２６の出力部５８から第２角度制御回路５６を通じて、前記９０°に応じた回転角度検出信号を受信したか否かを判断する。第２三方切替弁２６の弁体の回転角度が９０°の場合には、第２三方切替弁２６を介して注湯路２７と追い焚き循環路１１とが接続されている。
【００２７】
Ｓ１２において、第１演算処理部５３が前記９０°に応じた回転角度検出信号を受信して、第２三方切替弁２６の弁体の回転角度が９０°であると判断した場合には、第３三方切替弁１７の弁体の回転角度が１８０°であるか否かを判断する（Ｓ１３）。ここでは、第１演算処理部５３が、第３三方切替弁１７の出力部６４から第３角度制御回路６３、第２演算処理部６２、第１及び第２通信回路５４，６１を通じて、前記１８０°に応じた回転角度検出信号を受信したか否かを判断する。第３三方切替弁１７の弁体の回転角度が１８０°の場合には、第３三方切替弁１７を介して追い焚き循環路１１（往き管１２）と排出路１８とが接続されている。そしてＳ１３において、第１演算処理部５３が前記１８０°に応じた回転角度検出信号を受信して、第３三方切替弁１７の弁体の回転角度が１８０°であると判断した場合には、排出運転処理（Ｓ１４）を実行する。
【００２８】
この排出運転処理（Ｓ１４）では、以下に説明する処理を実行する。上述したＳ１１〜Ｓ１３の判断に基づいて、第１演算処理部５３は、例えばドレンを浴室３の外部に排出している最中に停電が発生し、この停電が解消して風呂給湯器２の電源を投入したことで、第３三方切替弁１７を介して追い焚き循環路１１（往き管１２）と排出路１８とが接続され、第２三方切替弁２６を介して注湯路２７と追い焚き循環路１１とが接続され、第１三方切替弁３２を介してドレン導出路４２と注湯路２７とが接続されていることを検出する。これにより、第１演算処理部５３は、給湯器付風呂装置１がドレン導出路４２と注湯路２７と追い焚き循環路１１と排出路１８とを接続した第１の状態に切り替えられていることを検出する。この排出運転処理（Ｓ１４）では、上述の排出運転処理（Ｓ７）と同様な方法で、停電によって中断したドレンの排出を再開することと、該ドレンの排出後に追い焚き循環路１１内を洗浄することとの双方を行う。なお、第１演算処理部５３は本発明のドレン排出制御手段の一例である。
【００２９】
排出運転処理（Ｓ１４）の後には、運転待機移行処理（Ｓ１５）を実行する。この運転待機移行処理（Ｓ１５）では、上述した運転待機移行処理（Ｓ８）と同様な方法で、給湯器付風呂装置１を出湯管と注湯路２７と追い焚き循環路１１とを接続した第３の状態に復帰させる。さらに、運転待機移行処理（Ｓ１５）の後には、運転待機処理（Ｓ１６）を実行する。この運転待機処理（Ｓ１６）では、上述の運転待機処理（Ｓ５）と同様な処理がなされる。
【００３０】
また図５中のＳ１１において、第１三方切替弁３２の弁体の回転角度が１８０°でないと判断した場合、Ｓ１２において、第２三方切替弁２６の弁体の回転角度が９０°でないと判断した場合、Ｓ１３において、第３三方切替弁１７の弁体の回転角度が１８０°でないと判断した場合のいずれかの場合には、例えば各三方切替弁３２，２６，１７の弁体を回転させている最中に停電が発生し、各三方切替弁３２，２６，１７のうちのいずれかの弁体の回転角度が特定できないと判別する。このように判別した場合には、排出運転移行処理（Ｓ１８）を実行する。この排出運転移行処理（Ｓ１８）では、上述した排出運転移行処理（Ｓ６）と同様の処理がなされる。この排出運転移行処理（Ｓ１８）の後には、上述した排出運転処理（Ｓ１４）、運転待機移行処理（Ｓ１５）、運転待機処理（Ｓ１６）を順次実行する。
【００３１】
さらに図４中のＳ３において、第２三方切替弁２６の弁体の回転角度が０°でないと判断した場合には、図６に示すように、第２三方切替弁２６の弁体の回転角度が９０°であるか否かを判断する（Ｓ２１）。ここでは、第１演算処理部５３が、第２三方切替弁２６の出力部５８から第２角度制御回路５６を通じて、前記９０°に応じた回転角度検出信号を受信したか否かを判断する。第２三方切替弁２６の弁体の回転角度が９０°の場合には、第２三方切替弁２６を介して注湯路２７と追い焚き循環路１１とが接続されている。
【００３２】
Ｓ２１において、第１演算処理部５３が前記９０°に応じた回転角度検出信号を受信して、第２三方切替弁２６の弁体の回転角度が９０°であると判断した場合には、第３三方切替弁１７の弁体の回転角度が１８０°であるか否かを判断する（Ｓ２２）。ここでは、第１演算処理部５３が、第３三方切替弁１７の出力部６４から第３角度制御回路６３、第２演算処理部６２、第１及び第２通信回路５４，６１を通じて、前記１８０°に応じた回転角度検出信号を受信したか否かを判断する。第３三方切替弁１７の回転角度が１８０°の場合には、第３三方切替弁１７を介して追い焚き循環路１１（往き管１２）と排出路１８とが接続されている。そしてＳ２２において、第１演算処理部５３が前記１８０°に応じた回転角度検出信号を受信して、第３三方切替弁１７の弁体の回転角度が１８０°であると判断した場合には、洗浄運転処理（Ｓ２３）を実行する。
【００３３】
この洗浄運転処理（Ｓ２３）では、以下に説明する処理を実行する。図４中のＳ２，Ｓ３の判断及び図６中のＳ２１，Ｓ２２の判断に基づいて、第１演算処理部５３は、例えば追い焚き循環路１１内の洗浄中に停電が発生し、この停電が解消して風呂給湯器２の電源を投入したことで、第３三方切替弁１７を介して追い焚き循環路１１（往き管１２）と排出路１８とが接続され、第２三方切替弁２６を介して注湯路２７と追い焚き循環路１１とが接続され、第１三方切替弁３２を介して出湯管と注湯路２７とが接続されていることを検出する。これにより、第１演算処理部５３は、給湯器風呂装置１が出湯管と注湯路２７と追い焚き循環路１１と排出路１８とを接続した第２の状態に切り替えられていることを検出する。この洗浄運転処理（Ｓ２３）では、停電によって中断した追い焚き循環路１１内の洗浄を再開するために、第１演算処理部５３によって電磁弁２８に駆動信号を送信して該電磁弁２８を開弁した後に、第１演算処理部５３によって風呂循環ポンプ１４に駆動信号を送信して該風呂循環ポンプ１４を駆動させる。これにより、出湯管から湯水を、注湯路２７を介して追い焚き循環路１１内に流通させる。したがって、この湯水により追い焚き循環路１１内を洗浄できる。なお、第１演算処理部５３は本発明の洗浄制御手段の一例である。
【００３４】
この洗浄運転処理（Ｓ２３）の後には、運転待機移行処理（Ｓ２４）を実行する。この運転待機移行処理（Ｓ２４）では、上述の運転待機移行処理（Ｓ８）と同様な方法で、給湯器付風呂装置１を出湯管と注湯路２７と追い焚き循環路１１とを接続した第３の状態に復帰させる。この運転待機移行処理（Ｓ２４）の後には、運転待機処理（Ｓ２５）を実行する。この運転待機処理（Ｓ２５）では、上述の運転待機処理（Ｓ５）と同様な処理がなされる。
【００３５】
また図６中のＳ２１において、第２三方切替弁２６の弁体の回転角度が９０°でないと判断した場合、Ｓ２２において、第３三方切替弁１７の弁体の回転角度が１８０°でないと判断した場合のいずれかの場合には、例えば第２又は第３三方切替弁２６，１７の弁体を回転させる最中に停電が発生し、第２又は第３三方切替弁２６，１７のいずれかの弁体の回転角度が特定できないと判別する。このように判別した場合には、排出運転移行処理（Ｓ２８）を実行する。この排出運転移行処理（Ｓ２８）では、上述の排出運転移行処理（Ｓ６）と同様な処理がなされる。
【００３６】
排出運転移行処理（Ｓ２８）の後には、排出運転処理（Ｓ２９）を実行する。この排出運転処理（Ｓ２９）では、上述の排出運転処理（Ｓ７）と同様な処理がなされる。この排出運転処理（Ｓ２９）の後には、上述した運転待機移行処理（Ｓ２４）、運転待機処理（Ｓ２５）を順次実行する。
【００３７】
＜本実施形態の効果＞
本実施形態の給湯器付風呂装置１では、例えば風呂給湯器２の１回目の電源の投入後や、浴室３の外部へのドレンの排出の中断後に前記電源を投入した後、あるいは追い焚き循環路１１内の洗浄の中断後に前記電源を投入した後に、第１演算処理部５３が実行するＳ２〜Ｓ４の判断によって、給湯器付風呂装置１が第３の状態に切り替えられていることを検出した場合には、第１演算処理部５３は運転待機処理（Ｓ５）を実行する。この運転待機処理（Ｓ５）においては、直ちに追い焚き循環路１１の洗浄を行わず第３の状態が保持される。よって従来のような、前記１回目の電源の投入後や、前記ドレンの排出の中断後に前記電源を投入した後、あるいは前記洗浄の中断後に前記電源を投入した後に必ず追い焚き循環路１１内の洗浄が行われる場合と比較して、該洗浄に要する時間や該洗浄に費やす湯水を無駄にすることを防止できる。
【００３８】
また、風呂給湯器２の電源の投入後に第１演算処理部５３が、第１ないし第３三方切替弁３２，２６，１７の各出力部５９，５８，６４から出力された回転角度検出信号に基づいて、Ｓ１１〜Ｓ１３の判断により、給湯器付風呂装置１が第１の状態に切り替えられていることを検出する結果、前記電源の投入前に、例えば停電によって浴室３の外部へのドレンの排出の中断があったことを容易に検出できる。
さらに、前記電源の投入後に第１演算処理部５３が、前記回転角度検出信号に基づいて、Ｓ２，Ｓ３，Ｓ２１，Ｓ２２の判断により、給湯器付風呂装置１が第２の状態に切り替えられていることを検出する結果、前記電源の投入前に、例えば停電によって追い焚き循環路１１内の洗浄の中断があったことを容易に検出できる。
加えて、前記電源の投入後に第１演算処理部５３が、前記回転角度検出信号に基づいて、Ｓ２〜Ｓ４の判断により、給湯器付風呂装置１が第３の状態に切り替えられていることを検出する結果、前記電源の投入前に、前記ドレンの排出の中断や前記追い焚き循環路１１内の洗浄の中断が発生せず運転待機処理（Ｓ５，Ｓ１６，Ｓ２５）が行われていたことを容易に検出できる。
【００３９】
本発明は、上述した実施形態に限定されるものではなく発明の趣旨を逸脱しない範囲内において構成の一部を適宜変更して実施できる。上述した実施形態では、第１演算処理部５３が第１ないし第３三方切替弁３２，２６，１７の弁体の回転角度を検出するために、各三方切替弁３２，２６，１７の出力部５９，５８，６４が、第１演算処理部５３に、ホールＩＣによって生成された信号の変化に応じた回転角度検出信号を出力するようにしているが、これに限らない。例えば、第１演算処理部５３が各弁体の回転角度を検出するために、各三方切替弁３２，２６，１７の出力部５９，５８，６４が、第１演算処理部５３に、各三方切替弁３２，２６，１７の各弁体を回転させるモータの回転軸と連結された回転型可変抵抗の出力電圧の変化に応じた回転角度検出信号を出力するようにしてもよい。また上述した実施形態では、風呂給湯器２内に、顕熱回収用熱交換器と潜熱回収用熱交換器７とを別体にして設けた例を示したが、これに限らず、顕熱回収用熱交換器と潜熱回収用熱交換器７とを一体にして風呂給湯器２内に設けてもよい。さらに、上述した実施形態では、第３三方切替弁３２を介してドレン導出路４２と注湯路２７とを接続可能としたが、これに代えて、排出運転の場合には、三方切替弁を介してドレン導出路４２と追い焚き循環路１１の風呂循環ポンプ１４の吸込口側とを連通してドレン導出路４２と追い焚き循環路１１の浴槽４側とが連通しない状態としてもよい。そして、洗浄運転及び運転待機の場合には、ドレン導出路４２と追い焚き循環路１１とを連通しない状態にしてもよい。加えて、上述した実施形態とは異なり風呂給湯器２内では、追い焚き熱交換器１０に代えて、第２バーナの燃焼ガスの上流側に顕熱回収用熱交換器を配設し、前記燃焼ガスの下流側に潜熱回収用熱交換器を配設してもよい。
【符号の説明】
【００４０】
１・・給湯器付風呂装置、４・・浴槽、７・・潜熱回収用熱交換器、１１・・追い焚き循環路、１７・・第１三方切替弁、１８・・排出路、２６・・第２三方切替弁、２７・・注湯路、３２・・第３三方切替弁、４２・・ドレン導出路、５３・・第１演算処理部、５８・・第２三方切替弁の出力部、５９・・第３三方切替弁の出力部、６４・・第１三方切替弁の出力部。
【図１】
2015081738.tif 000003
【図２】
2015081738.tif 000004
【図３】
2015081738.tif 000005
【図４】
2015081738.tif 000006
【図５】
2015081738.tif 000007
【図６】
2015081738.tif 000008